(57)【特許請求の範囲】
【請求項１】
歯肉縁上や歯肉縁下の歯の表面についている歯石を取り除くグレーシーキュレットのブレード内面の傾きを確認する、平板状の部材からなるグレーシーキュレットのブレード内面傾きチェッカーであって、
正面には、少なくとも１種類のグレーシーキュレットと、分度器と、横方向に沿って延びて、前記分度器の最外周における０度の位置と１８０度の位置とを結ぶ１本の基準線と、が描かれており、
前記正面には、前記少なくとも１種類のグレーシーキュレットのブレードの先端が手前側を向き、前記ブレードのブレード内面が前記基準線と平行になるとともに、前記ブレードが、前記基準線と、前記分度器の最外周における９０度の位置を通り前記基準線と垂直に交わる垂線との交点のところで、前記基準線の上に置かれている状態のグレーシーキュレットが描かれていることを特徴とするグレーシーキュレットのブレード内面傾きチェッカー。
【請求項２】
正面に、少なくとも１種類のグレーシーキュレットと、分度器と、横方向に沿って延びて、前記分度器の最外周における０度の位置と１８０度の位置とを結ぶ１本の基準線と、が描かれ、
前記正面に、前記少なくとも１種類のグレーシーキュレットのブレードの先端が手前側を向き、前記ブレードのブレード内面が前記基準線と平行になるとともに、前記ブレードが、前記基準線と、前記分度器の最外周における９０度の位置を通り前記基準線と垂直に交わる垂線との交点のところで、前記基準線の上に置かれている状態のグレーシーキュレットが描かれた、平板状の部材からなるグレーシーキュレットのブレード内面傾きチェッカーの使用方法であって、
前記基準線と、グレーシーキュレットのブレードをシャープニングする際の作業台となるシャープニング板の平らな面とが、正面から直視したときに一致するように、前記グレーシーキュレットのブレード内面傾きチェッカーをセットする段階と、
シャープニングしたいブレードが、前記交点のところに位置するとともに、前記ブレードの先端が手前側を向くようにして、前記シャープニングしたいブレードを前記シャープニング板の前記平らな面の上に置く段階と、
前記正面に描かれたグレーシーキュレットに合わせて、前記シャープニングしたいブレードを有するグレーシーキュレットの柄の部分を、前記垂線から左方向あるいは右方向に傾ける段階と、を備えていることを特徴とするグレーシーキュレットのブレード内面傾きチェッカーの使用方法。
【発明の詳細な説明】
【技術分野】
【０００１】
本発明は、歯周病予防のために、歯肉縁上や歯肉縁下の歯の表面についている歯石を取り除くグレーシーキュレットのブレード内面（フェイス）の傾きを確認するグレーシーキュレットのブレード内面傾きチェッカーおよびその使用方法に関するものである。
【背景技術】
【０００２】
歯肉縁上や歯肉縁下の歯の表面についている歯石を取り除くグレーシーキュレットとしては、例えば、非特許文献１に開示されたものが知られている。
【先行技術文献】
【非特許文献】
【０００３】
【非特許文献１】インターネット（URL：http://www.gcdental.co.jp/sys/data/item/doc/646/）（2012年11月26日検索）
【発明の概要】
【発明が解決しようとする課題】
【０００４】
さて、図７から図１５に示すように、グレーシーキュレットには、１番から１８番まである。
そして、図６（ａ）に示すように、図７に示すグレーシーキュレット（１番，２番）７０の一端部に設けられた１番ブレード７１のブレード内面７２、図８に示すグレーシーキュレット（３番，４番）８０の一端部に設けられた３番ブレード８１のブレード内面８２、図９に示すグレーシーキュレット（５番，６番）９０の一端部に設けられた５番ブレード９１のブレード内面９２、図１０に示すグレーシーキュレット（７番，８番）１００の一端部に設けられた７番ブレード１０１のブレード内面１０２、図１１に示すグレーシーキュレット（９番，１０番）１１０の一端部に設けられた９番ブレード１１１のブレード内面１１２、図１２に示すグレーシーキュレット（１１番，１２番）１２０の一端部に設けられた１１番ブレード１２１のブレード内面１２２、図１３に示すグレーシーキュレット（１３番，１４番）１３０の一端部に設けられた１３番ブレード１３１のブレード内面１３２、図１４に示すグレーシーキュレット（１５番，１６番）１４０の一端部に設けられた１５番ブレード１４１のブレード内面１４２、図１５に示すグレーシーキュレット（１７番，１８番）１５０の一端部に設けられた１７番ブレード１５１のブレード内面１５２、すなわち、奇数番ブレードのブレード内面７２，８２，９２，１０２，１１２，１２２，１３２，１４２，１５２は、いずれも第１シャンク６１に対してθ１＝（約）７０度、θ２＝（約）１１０度の角度で付いている。
【０００５】
一方、図６（ｂ）に示すように、図７に示すグレーシーキュレット（１番，２番）７０の他端部に設けられた２番ブレード７３のブレード内面７４、図８に示すグレーシーキュレット（３番，４番）８０の他端部に設けられた４番ブレード８３のブレード内面８４、図９に示すグレーシーキュレット（５番，６番）９０の他端部に設けられた６番ブレード９３のブレード内面９４、図１０に示すグレーシーキュレット（７番，８番）１００の他端部に設けられた８番ブレード１０３のブレード内面１０４、図１１に示すグレーシーキュレット（９番，１０番）１１０の他端部に設けられた１０番ブレード１１３のブレード内面１１４、図１２に示すグレーシーキュレット（１１番，１２番）１２０の他端部に設けられた１２番ブレード１２３のブレード内面１２４、図１３に示すグレーシーキュレット（１３番，１４番）１３０の他端部に設けられた１４番ブレード１３３のブレード内面１３４、図１４に示すグレーシーキュレット（１５番，１６番）１４０の他端部に設けられた１６番ブレード１４３のブレード内面１４４、図１５に示すグレーシーキュレット（１７番，１８番）１５０の他端部に設けられた１８番ブレード１５３のブレード内面１５４、すなわち、偶数番ブレードのブレード内面７４，８４，９４，１０４，１１４，１２４，１３４，１４４，１５４は、いずれも第１シャンク６１に対してθ１＝（約）１１０度、θ２＝（約）７０度の角度で付いている。
【０００６】
ここで、新品のグレーシーキュレット７０，８０，９０，１００，１１０，１２０，１３０，１４０，１５０を使用すると、少ない力でストレスなく歯石を除去することができる。しかしながら、グレーシーキュレット７０，８０，９０，１００，１１０，１２０，１３０，１４０，１５０を使用して歯石や歯垢を除去していくうちに、刃先（ブレードのエッジ）６２が図６（ａ）および図６（ｂ）に破線で示すように丸くなり、歯石や歯垢が思うように除去できないばかりか、施術者の手指に負担がかかり、ブレードが歯石の表面を滑り、患者の歯肉を傷つけてしまうおそれがある。
【０００７】
そこで、丸まってしまった刃先６２を元の尖った（角張った）状態に戻す「シャープニング」という作業が必要になる。
「シャープニング」という作業には、図６（ａ）および図６（ｂ）に一点鎖線で示すように、ブレード側面６３を削って（落として）刃先６２を元の尖った（角張った）状態に戻す方法と、図６（ａ）および図６（ｂ）に二点鎖線で示すように、ブレード内面７２，７４，８２，８４，９２，９４，１０２，１０４，１１２，１１４，１２２，１２４，１３２，１３４，１４２，１４４，１５２，１５４を削って（落として）刃先６２を元の尖った（角張った）状態に戻す方法とがある。
【０００８】
ブレード側面６３を削って刃先６２を元の尖った状態に戻す方法は、一方の手でグレーシーキュレット７０，８０，９０，１００，１１０，１２０，１３０，１４０，１５０の柄の部分（中央部）を把持し、もう一方の手でシャープニングストーン（砥石）を把持して、ブレード側面６３と平行になるようにしてシャープニングストーンを上下方向あるいは前後方向に動かしてブレード側面６３を削っていく方法である。
しかしながら、この方法では、ブレード側面６３にシャープニングストーンを押し付けるとブレード７１，７３，８１，８３，９１，９３，１０１，１０３，１１１，１１３，１２１，１２３，１３１，１３３，１４１，１４３，１５１，１５３がブレード側面６３と反対の側に逃げていってしまうため、熟練した技能を有する作業者でもブレード側面６３を上手く削ることは難しい。
【０００９】
一方、ブレード内面７２，７４，８２，８４，９２，９４，１０２，１０４，１１２，１１４，１２２，１２４，１３２，１３４，１４２，１４４，１５２，１５４を削って刃先６２を元の尖った状態に戻す方法は、図６（ａ）および図６（ｂ）に示すように、一方の手でグレーシーキュレット７０，８０，９０，１００，１１０，１２０，１３０，１４０，１５０の柄の部分を把持し、ブレード内面７２，７４，８２，８４，９２，９４，１０２，１０４，１１２，１１４，１２２，１２４，１３２，１３４，１４２，１４４，１５２，１５４がシャープニング板（平板）６４の平らな面（水平面）６５と平行になるようにして、ブレード７１，７３，８１，８３，９１，９３，１０１，１０３，１１１，１１３，１２１，１２３，１３１，１３３，１４１，１４３，１５１，１５３を平らな面６５の上に押し当て、もう一方の手で、本出願人が平成２３年５月１１日付けで出願した特願２０１１−１０６０８９の研磨用チップが先端部に取り付けられた歯科用超音波スケーラのハンドピースを把持して、ブレード内面７２，７４，８２，８４，９２，９４，１０２，１０４，１１２，１１４，１２２，１２４，１３２，１３４，１４２，１４４，１５２，１５４と平行になるようにして、周波数５千Ｈｚ程度あるいは３万Ｈｚ程度で振動している研磨用チップをブレード内面７２，７４，８２，８４，９２，９４，１０２，１０４，１１２，１１４，１２２，１２４，１３２，１３４，１４２，１４４，１５２，１５４に押し付けて前後（あるいは左右）に動かすだけでブレード内面７２，７４，８２，８４，９２，９４，１０２，１０４，１１２，１１４，１２２，１２４，１３２，１３４，１４２，１４４，１５２，１５４を削っていく方法である。
この方法は、ブレード内面７２，７４，８２，８４，９２，９４，１０２，１０４，１１２，１１４，１２２，１２４，１３２，１３４，１４２，１４４，１５２，１５４に研磨用チップを押し付けて前後（あるいは左右）に動かしても、ブレード７１，７３，８１，８３，９１，９３，１０１，１０３，１１１，１１３，１２１，１２３，１３１，１３３，１４１，１４３，１５１，１５３がブレード内面７２，７４，８２，８４，９２，９４，１０２，１０４，１１２，１１４，１２２，１２４，１３２，１３４，１４２，１４４，１５２，１５４と反対の側に逃げていってしまうことがなく、また、周波数５千Ｈｚ程度あるいは３万Ｈｚ程度で振動している研磨用チップをブレード内面７２，７４，８２，８４，９２，９４，１０２，１０４，１１２，１１４，１２２，１２４，１３２，１３４，１４２，１４４，１５２，１５４に押し付けて前後（あるいは左右）に動かすだけで誰にでも簡単にブレード内面７２，７４，８２，８４，９２，９４，１０２，１０４，１１２，１１４，１２２，１２４，１３２，１３４，１４２，１４４，１５２，１５４を削ることができる。
【００１０】
ここで、１番ブレード７１、３番ブレード８１、５番ブレード９１、７番ブレード１０１、９番ブレード１１１の第１シャンク６１の中心軸線（長手方向軸線）は、グレーシーキュレット７０，８０，９０，１００，１１０の柄の部分の中心軸線（長手方向軸線）と同一軸線上に位置しているため、ブレード内面７２，８２，９２，１０２，１１２がシャープニング板６４の平らな面６５と平行になるようにするには、１番ブレード７１、３番ブレード８１、５番ブレード９１、７番ブレード１０１、９番ブレード１１１の先端を手前側にして、グレーシーキュレット７０，８０，９０，１００，１１０の柄の部分を、平らな面６５と垂直に交わる垂線から左方向（反時計方向）に２０度、すなわち、平らな面６５から右方向（時計方向）に７０度傾ければよい。
一方、２番ブレード７３、４番ブレード８３、６番ブレード９３、８番ブレード１０３、１０番ブレード１１３の第１シャンク６１の中心軸線（長手方向軸線）は、グレーシーキュレット７０，８０，９０，１００，１１０の柄の部分の中心軸線（長手方向軸線）と同一軸線上に位置しているため、ブレード内面７４，８４，９４，１０４，１１４がシャープニング板６４の平らな面６５と平行になるようにするには、２番ブレード７３、４番ブレード８３、６番ブレード９３、８番ブレード１０３、１０番ブレード１１３の先端を手前側にして、グレーシーキュレット７０，８０，９０，１００，１１０の柄の部分を、平らな面６５と垂直に交わる垂線から右方向（時計方向）に２０度、すなわち、平らな面６５から右方向（時計方向）に１１０度傾ければよい。
【００１１】
しかしながら、１番ブレード７１、２番ブレード７３、３番ブレード８１、４番ブレード８３、５番ブレード９１、６番ブレード９３、７番ブレード１０１、８番ブレード１０３、９番ブレード１１１、１０番ブレード１１３を除くその他のブレード、すなわち、１１番ブレード１２１、１２番ブレード１２３、１３番ブレード１３１、１４番ブレード１３３、１５番ブレード１４１、１６番ブレード１４３、１７番ブレード１５１、１８番ブレード１５３の第１シャンク６１の中心軸線（長手方向軸線）は、グレーシーキュレット７０，８０，９０，１００，１１０の柄の部分の中心軸線（長手方向軸線）と同一軸線上に位置していない。そのため、１１番ブレード１２１、１２番ブレード１２３、１３番ブレード１３１、１４番ブレード１３３、１５番ブレード１４１、１６番ブレード１４３、１７番ブレード１５１、１８番ブレード１５３の先端を手前側にして、グレーシーキュレット７０，８０，９０，１００，１１０の柄の部分を、平らな面６５と垂直に交わる垂線から左方向（反時計方向）に２０度、あるいは平らな面６５と垂直に交わる垂線から右方向（時計方向）に２０度傾けたとしても、ブレード内面１２２，１２４，１３２，１３４，１４２，１４４，１５２，１５４は、シャープニング板６４の平らな面６５と平行にならない。
そこで、研磨用チップを使用してグレーシーキュレット７０，８０，９０，１００，１１０，１２０，１３０，１４０，１５０のシャープニングを行っているユーザーから、ブレード内面７２，７４，８２，８４，９２，９４，１０２，１０４，１１２，１１４，１２２，１２４，１３２，１３４，１４２，１４４，１５２，１５４が、シャープニング板６４の平らな面６５と平行になっていることを簡単に知る指標となるものが欲しいとの要望があった。
【００１２】
本発明は、上記の事情に鑑みてなされたもので、誰にでも簡単に、グレーシーキュレットのブレード内面の傾きを確認することができるグレーシーキュレットのブレード内面傾きチェッカーおよびその使用方法を提供することを目的とする。
【課題を解決するための手段】
【００１３】
本発明は、上記課題を解決するため、以下の手段を採用した。
本発明に係るグレーシーキュレットのブレード内面傾きチェッカーは、歯肉縁上や歯肉縁下の歯の表面についている歯石を取り除くグレーシーキュレットのブレード内面の傾きを確認する、平板状の部材からなるグレーシーキュレットのブレード内面傾きチェッカーであって、正面には、少なくとも１種類のグレーシーキュレットと、分度器と、横方向に沿って延びて、前記分度器の最外周における０度の位置と１８０度の位置とを結ぶ１本の基準線と、が描かれており、前記正面には、前記少なくとも１種類のグレーシーキュレットのブレードの先端が手前側を向き、前記ブレードのブレード内面が前記基準線と平行になるとともに、前記ブレードが、前記基準線と、前記分度器の最外周における９０度の位置を通り前記基準線と垂直に交わる垂線との交点のところで、前記基準線の上に置かれている状態のグレーシーキュレットが描かれていることを特徴とする。
【００１４】
本発明に係るグレーシーキュレットのブレード内面傾きチェッカーによれば、シャープニングしたいブレードが、基準線と、分度器の最外周における９０度の位置を通り前記基準線と垂直に交わる垂線との交点のところに位置するとともに、前記ブレードの先端が手前側を向くようにし、かつ、正面に描かれたグレーシーキュレットの絵に合わせて、前記シャープニングしたいブレードを有するグレーシーキュレットの柄の部分を、前記垂線から左方向あるいは右方向に傾けるだけで、前記シャープニングしたいブレードのブレード内面を、基準線と平行にすることができる。
すなわち、誰にでも簡単に、グレーシーキュレットのブレード内面の傾きを確認することができる。
【００１５】
本発明に係るグレーシーキュレットのブレード内面傾きチェッカーの使用方法は、正面に、少なくとも１種類のグレーシーキュレットと、分度器と、横方向に沿って延びて、前記分度器の最外周における０度の位置と１８０度の位置とを結ぶ１本の基準線と、が描かれ、前記正面に、前記少なくとも１種類のグレーシーキュレットのブレードの先端が手前側を向き、前記ブレードのブレード内面が前記基準線と平行になるとともに、前記ブレードが、前記基準線と、前記分度器の最外周における９０度の位置を通り前記基準線と垂直に交わる垂線との交点のところで、前記基準線の上に置かれている状態のグレーシーキュレットが描かれた、平板状の部材からなるグレーシーキュレットのブレード内面傾きチェッカーの使用方法であって、前記基準線と、グレーシーキュレットのブレードをシャープニングする際の作業台となるシャープニング板の平らな面とが、正面から直視したときに一致するように、前記グレーシーキュレットのブレード内面傾きチェッカーをセットする段階と、シャープニングしたいブレードが、前記交点のところに位置するとともに、前記ブレードの先端が手前側を向くようにして、前記シャープニングしたいブレードを前記シャープニング板の前記平らな面の上に置く段階と、前記正面に描かれたグレーシーキュレットに合わせて、前記シャープニングしたいブレードを有するグレーシーキュレットの柄の部分を、前記垂線から左方向あるいは右方向に傾ける段階と、を備えていることを特徴とする。
【００１６】
本発明に係るグレーシーキュレットのブレード内面傾きチェッカーの使用方法によれば、シャープニングしたいブレードが、基準線と、分度器の最外周における９０度の位置を通り前記基準線と垂直に交わる垂線との交点のところに位置するとともに、前記ブレードの先端が手前側を向くようにし、かつ、正面に描かれたグレーシーキュレットの絵に合わせて、前記シャープニングしたいブレードを有するグレーシーキュレットの柄の部分を、前記垂線から左方向あるいは右方向に傾けるだけで、前記シャープニングしたいブレードのブレード内面を、基準線と平行にすることができる。
すなわち、誰にでも簡単に、グレーシーキュレットのブレード内面の傾きを確認することができる。
【発明の効果】
【００１７】
本発明に係るグレーシーキュレットのブレード内面傾きチェッカーおよびその使用方法によれば、誰にでも簡単に、グレーシーキュレットのブレード内面の傾きを確認することができるという効果を奏する。
【図面の簡単な説明】
【００１８】
【図１】本発明の一実施形態に係るグレーシーキュレットのブレード内面傾きチェッカー（その１）の正面図である。
【図２】本発明の一実施形態に係るグレーシーキュレットのブレード内面傾きチェッカー（その２）の正面図である。
【図３】本発明の一実施形態に係るグレーシーキュレットのブレード内面傾きチェッカーの平面図（底面図）である。
【図４】本発明の一実施形態に係るグレーシーキュレットのブレード内面傾きチェッカーの左側面図（右側面図）である。
【図５】本発明の一実施形態に係るグレーシーキュレットのブレード内面傾きチェッカーの背面図である。
【図６】グレーシーキュレットの第１シャンクおよびブレードを、ブレードの先端の側から見た要部拡大図である。
【図７】１番ブレードおよび２番ブレードを有するグレーシーキュレットの全体図である。
【図８】３番ブレードおよび４番ブレードを有するグレーシーキュレットの全体図である。
【図９】５番ブレードおよび６番ブレードを有するグレーシーキュレットの全体図である。
【図１０】７番ブレードおよび８番ブレードを有するグレーシーキュレットの全体図である。
【図１１】９番ブレードおよび１０番ブレードを有するグレーシーキュレットの全体図である。
【図１２】１１番ブレードおよび１２番ブレードを有するグレーシーキュレットの全体図である。
【図１３】１３番ブレードおよび１４番ブレードを有するグレーシーキュレットの全体図である。
【図１４】１５番ブレードおよび１６番ブレードを有するグレーシーキュレットの全体図である。
【図１５】１７番ブレードおよび１８番ブレードを有するグレーシーキュレットの全体図である。
【発明を実施するための形態】
【００１９】
以下、本発明の一実施形態に係るグレーシーキュレットのブレード内面傾きチェッカーについて、図１から図５を参照しながら説明する。
図１は本発明の一実施形態に係るグレーシーキュレットのブレード内面傾きチェッカー（その１）の正面図、図２は本発明の一実施形態に係るグレーシーキュレットのブレード内面傾きチェッカー（その２）の正面図、図３は本発明の一実施形態に係るグレーシーキュレットのブレード内面傾きチェッカーの平面図（底面図）、図４は本発明の一実施形態に係るグレーシーキュレットのブレード内面傾きチェッカーの左側面図（右側面図）、図５は本発明の一実施形態に係るグレーシーキュレットのブレード内面傾きチェッカーの背面図である。
なお、図３、図４、図５に示す厚みは、単に厚みがあることを示すものであり、実際の厚みとは無関係である。
【００２０】
図１に示すように、本実施形態に係るグレーシーキュレットのブレード内面傾きチェッカー（その１）１１は、奇数番のブレード、すなわち、１番ブレード７１、３番ブレード８１、５番ブレード９１、７番ブレード１０１、９番ブレード１１１、１１番ブレード１２１、１３番ブレード１３１、１５番ブレード１４１、１７番ブレード１５１のブレード内面７２，８２，９２，１０２，１１２，１２２，１３２，１４２，１５２の傾きを確認（把握）するものであり、用紙１３の正面（表面）上に、原寸大のグレーシーキュレット７０，８０，９０，１００，１１０，１２０，１３０，１４０，１５０と、分度器１４と、基準線１５とが描かれたものである。
なお、グレーシーキュレット７０，８０，９０，１００，１１０，１２０，１３０，１４０，１５０は、１番ブレード７１、３番ブレード８１、５番ブレード９１、７番ブレード１０１、９番ブレード１１１、１１番ブレード１２１、１３番ブレード１３１、１５番ブレード１４１、１７番ブレード１５１の先端が手前側にくるようにして描かれている。
【００２１】
図２に示すように、本実施形態に係るグレーシーキュレットのブレード内面傾きチェッカー（その２）１２は、偶数番のブレード、すなわち、２番ブレード７３、４番ブレード８３、６番ブレード９３、８番ブレード１０３、１０番ブレード１１３、１２番ブレード１２３、１４番ブレード１３３、１６番ブレード１４３、１８番ブレード１５３のブレード内面７４，８４，９４，１０４，１１４，１２４，１３４，１４４，１５４の傾きを確認（把握）するものであり、図１に示すグレーシーキュレットのブレード内面傾きチェッカー（その１）１１と同様、用紙１３の正面（表面）上に、原寸大のグレーシーキュレット７０，８０，９０，１００，１１０，１２０，１３０，１４０，１５０と、分度器１４と、基準線１５とが描かれたものである。
なお、グレーシーキュレット７０，８０，９０，１００，１１０，１２０，１３０，１４０，１５０は、２番ブレード７３、４番ブレード８３、６番ブレード９３、８番ブレード１０３、１０番ブレード１１３、１２番ブレード１２３、１４番ブレード１３３、１６番ブレード１４３、１８番ブレード１５３の先端が手前側にくるようにして描かれている。
【００２２】
つぎに、本実施形態に係るグレーシーキュレットのブレード内面傾きチェッカー１１，１２の使用方法について、図１および図２を参照しながら説明する。
まず、シャープニングしたいブレードを有するグレーシーキュレット（図示せず）が描かれたグレーシーキュレットのブレード内面傾きチェッカー（その１）１１またはグレーシーキュレットのブレード内面傾きチェッカー（その２）１２を用意し、当該グレーシーキュレットのブレード内面傾きチェッカー（その１）１１またはグレーシーキュレットのブレード内面傾きチェッカー（その２）１２の基準線１５と、図６（ａ）および図６（ｂ）に示すシャープニング板６４の平らな面６５とが、正面から直視したときに一致するように、グレーシーキュレットのブレード内面傾きチェッカー（その１）１１またはグレーシーキュレットのブレード内面傾きチェッカー（その２）１２を適切な場所（例えば、シャープニング板６４を下方から支持するケース（図示せず）の背面や、シャープニング板６４の背面）にセットする（取り付ける）。
【００２３】
つぎに、シャープニングしたいブレードが、基準線１５と、分度器１４の９０度のところを通り基準線１５と垂直に交わる垂線１６との交点１７のところに位置するとともに、当該ブレードの先端が手前側（グレーシーキュレットのブレード内面傾きチェッカー（その１）１１またはグレーシーキュレットのブレード内面傾きチェッカー（その２）１２と反対の側）を向くようにして、シャープニングしたいグレーシーキュレットのブレードをシャープニング板６４の平らな面６５の上に置く。
つづいて、シャープニングしたいグレーシーキュレットの柄の部分を、ブレードの番数に合わせて、垂線１６から左方向（反時計方向）あるいは右方向（時計方向）に傾ける。すなわち、シャープニングしたいブレードが、１番ブレード７１、３番ブレード８１、５番ブレード９１、７番ブレード１０１、９番ブレード１１１のときは、垂線１６から左方向（反時計方向）に２０度、言い換えれば、基準線１５および平らな面６５から右方向（時計方向）に７０度傾け、シャープニングしたいブレードが、１１番ブレード１２１のときは、垂線１６から左方向（反時計方向）に４０度、言い換えれば、基準線１５および平らな面６５から右方向（時計方向）に５０度傾け、シャープニングしたいブレードが、１３番ブレード１３１のときは、垂線１６から右方向（時計方向）に５度、言い換えれば、基準線１５および平らな面６５から左方向（反時計方向）に８５度傾け、シャープニングしたいブレードが、１５番ブレード１４１のときは、垂線１６から左方向（反時計方向）に４５度、言い換えれば、基準線１５および平らな面６５から右方向（時計方向）に４５度傾け、シャープニングしたいブレードが、１７番ブレード１５１のときは、垂線１６から右方向（時計方向）に２０度、言い換えれば、基準線１５および平らな面６５から左方向（反時計方向）に７０度傾ける。
【００２４】
また、シャープニングしたいブレードが、２番ブレード７３、４番ブレード８３、６番ブレード９３、８番ブレード１０３、１０番ブレード１１３のときは、垂線１６から右方向（時計方向）に２０度、言い換えれば、基準線１５および平らな面６５から左方向（反時計方向）に７０度傾け、シャープニングしたいブレードが、１２番ブレード１２３のときは、垂線１６から右方向（時計方向）に４０度、言い換えれば、基準線１５および平らな面６５から左方向（反時計方向）に５０度傾け、シャープニングしたいブレードが、１４番ブレード１３３のときは、垂線１６から左方向（反時計方向）に５度、言い換えれば、基準線１５および平らな面６５から右方向（時計方向）に８５度傾け、シャープニングしたいブレードが、１６番ブレード１４３のときは、垂線１６から右方向（時計方向）に４５度、言い換えれば、基準線１５および平らな面６５から左方向（反時計方向）に４５度傾け、シャープニングしたいブレードが、１８番ブレード１５３のときは、垂線１６から左方向（反時計方向）に２０度、言い換えれば、基準線１５および平らな面６５から右方向（時計方向）に７０度傾ける。
このようにして、シャープニングしたいグレーシーキュレットの柄の部分を、ブレードの番数に合わせて、垂線１６から左方向（反時計方向）あるいは右方向（時計方向）に傾けることにより、ブレード内面７２，７４，８２，８４，９２，９４，１０２，１０４，１１２，１１４，１２２，１２４，１３２，１３４，１４２，１４４，１５２，１５４がシャープニング板６４の平らな面６５と平行になる。
【００２５】
つぎに、本出願人が平成２３年５月１１日付けで出願した特願２０１１−１０６０８９の研磨用チップが先端部に取り付けられた歯科用超音波スケーラのハンドピースを把持して、ブレード内面７２，７４，８２，８４，９２，９４，１０２，１０４，１１２，１１４，１２２，１２４，１３２，１３４，１４２，１４４，１５２，１５４と平行になるようにして、周波数５千Ｈｚ程度あるいは３万Ｈｚ程度で振動している研磨用チップをブレード内面７２，７４，８２，８４，９２，９４，１０２，１０４，１１２，１１４，１２２，１２４，１３２，１３４，１４２，１４４，１５２，１５４に押し付けて前後（あるいは左右）に動かして、図６（ａ）および図６（ｂ）に二点鎖線で示すように、ブレード内面７２，７４，８２，８４，９２，９４，１０２，１０４，１１２，１１４，１２２，１２４，１３２，１３４，１４２，１４４，１５２，１５４を削っていき、シャープニングしたいブレードのシャープニングを終了する。
【００２６】
本実施形態に係るグレーシーキュレットのブレード内面傾きチェッカー１１，１２およびその使用方法によれば、シャープニングしたいブレードが、基準線１５と、分度器１４の最外周における９０度の位置を通り基準線１５と垂直に交わる垂線１６との交点１７のところに位置するとともに、シャープニングしたいブレードの先端が手前側を向くようにし、かつ、正面に描かれたグレーシーキュレット７０，８０，９０，１００，１１０，１２０，１３０，１４０，１５０の絵に合わせて、シャープニングしたいブレードを有するグレーシーキュレットの柄の部分を、垂線１６から左方向あるいは右方向に傾けるだけで、シャープニングしたいブレードのブレード内面７２，７４，８２，８４，９２，９４，１０２，１０４，１１２，１１４，１２２，１２４，１３２，１３４，１４２，１４４，１５２，１５４を、基準線１５と平行にすることができる。
すなわち、誰にでも簡単に、グレーシーキュレット７０，８０，９０，１００，１１０，１２０，１３０，１４０，１５０のブレード内面７２，７４，８２，８４，９２，９４，１０２，１０４，１１２，１１４，１２２，１２４，１３２，１３４，１４２，１４４，１５２，１５４の傾きを確認することができる。
【００２７】
なお、本発明は上述した実施形態に限定されるものではなく、本発明の要旨を逸脱しない範囲内において適宜変更することができる。
例えば、上述した実施形態では、平面視長方形状を呈する用紙１３の上に、原寸大のグレーシーキュレット７０，８０，９０，１００，１１０，１２０，１３０，１４０，１５０と、分度器１４と、基準線１５とが描かれたものをとりあえずの具体例として挙げて説明したが、本発明はこれに限定されるものではなく、厚紙やプラスチック製の平板等、（薄い）平板状の部材であればいかなるものであってもよい。
また、上述した実施形態では、平面視矩形状を呈したものをとりあえずの具体例として挙げて説明したが、本発明はこれに限定されるものではなく、円形状、楕円形状、三角形状、五角形状以上の多角形状等、いかなる形状であってもよい。
【００２８】
さらに、上述した実施形態では、原寸大のグレーシーキュレット７０，８０，９０，１００，１１０，１２０，１３０，１４０，１５０の下半部（一側の端部）のみが描かれたものをとりあえずの具体例として挙げて説明したが、本発明はこれに限定されるものではなく、原寸大のグレーシーキュレット７０，８０，９０，１００，１１０，１２０，１３０，１４０，１５０の全体（両側の端部）が描かれたものであってもよい。
【００２９】
さらにまた、上述した実施形態では、原寸大のグレーシーキュレット７０，８０，９０，１００，１１０，１２０，１３０，１４０，１５０が描かれたものをとりあえずの具体例として挙げて説明したが、本発明はこれに限定されるものではなく、原寸大よりも大きいあるいは小さいグレーシーキュレット７０，８０，９０，１００，１１０，１２０，１３０，１４０，１５０を描くようにしてもよい。
【００３０】
さらにまた、グレーシーキュレット７０，８０，９０，１００，１１０，１２０，１３０，１４０，１５０と、分度器１４と、基準線１５とが描かれた平板状の部材を、名刺大で、かつ、カード状を呈するものとしてもよい。
グレーシーキュレット７０，８０，９０，１００，１１０，１２０，１３０，１４０，１５０と、分度器１４と、基準線１５とが描かれた平板状の部材を、名刺大で、かつ、カード状を呈するものとすることにより、グレーシーキュレットのブレード内面傾きチェッカーをポケット等に入れて気軽に持ち運べることができて、いつでもどこでもグレーシーキュレットのブレード内面の傾きをチェックすることができる。
【符号の説明】
【００３１】
１１  グレーシーキュレットのブレード内面傾きチェッカー
１２  グレーシーキュレットのブレード内面傾きチェッカー
１４  分度器
１５  基準線
１６  垂線
１７  交点
６４  シャープニング板
６５  平らな面
７０  グレーシーキュレット
７１  １番ブレード
７２  ２番ブレード
７３  ブレード内面
７４  ブレード内面
８０  グレーシーキュレット
８１  ３番ブレード
８２  ４番ブレード
８３  ブレード内面
８４  ブレード内面
９０  グレーシーキュレット
９１  ５番ブレード
９２  ６番ブレード
９３  ブレード内面
９４  ブレード内面
１００  グレーシーキュレット
１０１  ７番ブレード
１０２  ８番ブレード
１０３  ブレード内面
１０４  ブレード内面
１１０  グレーシーキュレット
１１１  ９番ブレード
１１２  １０番ブレード
１１３  ブレード内面
１１４  ブレード内面
１２０  グレーシーキュレット
１２１  １１番ブレード
１２２  １２番ブレード
１２３  ブレード内面
１２４  ブレード内面
１３０  グレーシーキュレット
１３１  １３番ブレード
１３２  １４番ブレード
１３３  ブレード内面
１３４  ブレード内面
１４０  グレーシーキュレット
１４１  １５番ブレード
１４２  １６番ブレード
１４３  ブレード内面
１４４  ブレード内面
１５０  グレーシーキュレット
１５１  １７番ブレード
１５２  １８番ブレード
１５３  ブレード内面
１５４  ブレード内面
【要約】
【課題】誰にでも簡単に、グレーシーキュレットのブレード内面の傾きを確認することができるようにすること。
【解決手段】正面には、少なくとも１種類のグレーシーキュレット７０，８０，９０，…と、分度器１４と、横方向に沿って延びて、前記分度器１４の最外周における０度の位置と１８０度の位置とを結ぶ１本の基準線１５と、が描かれており、前記正面には、前記少なくとも１種類のグレーシーキュレット７０，８０，９０，…のブレードの先端が手前側を向き、前記ブレードのブレード内面が前記基準線１５と平行になるとともに、前記ブレードが、前記基準線１５と、前記分度器１４の最外周における９０度の位置を通り前記基準線１５と垂直に交わる垂線１６との交点１７のところで、前記基準線１５の上に置かれている状態のグレーシーキュレット７０，８０，９０，…が描かれていることを特徴とする。
【選択図】図１【図１】
0005427288.tif 000002
【図２】
0005427288.tif 000003
【図３】
0005427288.tif 000004
【図４】
0005427288.tif 000005
【図５】
0005427288.tif 000006
【図６】
0005427288.tif 000007
【図７】
0005427288.tif 000008
【図８】
0005427288.tif 000009
【図９】
0005427288.tif 000010
【図１０】
0005427288.tif 000011
【図１１】
0005427288.tif 000012
【図１２】
0005427288.tif 000013
【図１３】
0005427288.tif 000014
【図１４】
0005427288.tif 000015
【図１５】
0005427288.tif 000016